(57)【要約】      （修正有）【課題】利用者の目前に浮遊するウイルスに紫外線を照射する感染防止装置を提供する。【解決手段】利用者１６の頭部に装着される帽子の鍔１９や、眼鏡の縁２１やサンバイザの鍔２３に、利用者１６の目前に紫外線１４を照射する紫外線照射ユニット１２をとりつけた。さらに、フェイスシールドの表面全面を覆うようにカーテン状に紫外線照射ユニット１２をとりつけてもよい。紫外線照射ユニット１２は、基板に十分な量の紫外線照射ができる数の紫外線ＬＥＤチップが搭載され、紫外線ＬＥＤチップは基板に一体化された電池によって駆動される。紫外線１４のビームを広げれば、料理の全体を紫外線１４のビームで覆うこともできる。【選択図】図１
0003232446.tif 000002
【実用新案登録請求の範囲】
【請求項１】
利用者の頭部に装着される帽子の鍔に、利用者の目前に紫外線を照射するユニットをとりつけたことを特徴とする感染防止装置。
【請求項２】
利用者の頭部に装着される眼鏡の縁に、利用者の目前に紫外線を照射するユニットをとりつけたことを特徴とする感染防止装置。
【請求項３】
利用者の頭部に装着されるサンバイザの鍔に、利用者の目前に紫外線を照射するユニットをとりつけたことを特徴とする感染防止装置。
【請求項４】
利用者の目前に配置されたフェイスシールドの表面全面を覆うようにカーテン状に紫外線を照射するユニットをとりつけたことを特徴とする請求項１乃至３のいずれかに記載の感染防止装置。
【請求項５】
フェイスシールドの上方から下方に向かって紫外線が照射され、上記ユニットがフェイスシールドの下方に配置された料理全体を紫外線のビームで覆うことを特徴とする請求項４に記載の感染防止装置。
【考案の詳細な説明】
【技術分野】
【０００１】
本考案は、空気中のウイルスを人畜無害な紫外線によって瞬時に殺菌して感染を防ぐ感染防止装置に関する。
【背景技術】
【０００２】
特許文献１や２に示すように、紫外線によってコロナウイルスを殺菌する方法が開発され、紫外線を様々な対象物に照射して殺菌をする装置が開発されている。
【先行技術文献】
【特許文献】
【０００３】
【特許文献１】２０１６−１０１３０４号公報
【特許文献２】特許６８１８３８９号公報
【考案の概要】
【考案が解決しようとする課題】
【０００４】
インフルエンザやコロナウイルスの最善の感染防止法は、マスクの使用である。人の口から発する目に見えるような飛沫はマスクによって止められて拡散を防ぐことができる。しかし、細くて目に見えないような浮遊物はマスクで取り除くことが困難である。このような浮遊物から身を守る方法が望まれる。本考案は以上の点に着目してなされたものである。
【課題を解決するための手段】
【０００５】
以下の構成はそれぞれ上記の課題を解決するための手段である。
【０００６】
＜構成１＞
利用者の頭部に装着される帽子の鍔に、利用者の目前に紫外線を照射するユニットをとりつけたことを特徴とする感染防止装置。
【０００７】
＜構成２＞
利用者の頭部に装着される眼鏡の縁に、利用者の目前に紫外線を照射するユニットをとりつけたことを特徴とする感染防止装置。
【０００８】
＜構成３＞
利用者の頭部に装着されるサンバイザの鍔に、利用者の目前に紫外線を照射するユニットをとりつけたことを特徴とする感染防止装置。
【０００９】
＜構成４＞
利用者の目前に配置されたフェイスシールドの表面全面を覆うようにカーテン状に紫外線を照射するユニットをとりつけたことを特徴とする構成１乃至３のいずれかに記載の感染防止装置。
【００１０】
＜構成５＞
フェイスシールドの上方から下方に向かって紫外線が照射され、上記ユニットがフェイスシールドの下方に配置された料理全体を紫外線のビームで覆うことを特徴とする構成４に記載の感染防止装置。
【考案の効果】
【００１１】
利用者の目前に浮遊するウイルスに紫外線を照射して無害化することができる。
【図面の簡単な説明】
【００１２】
【図１】帽子型の装置とメガネ型の装置とサンバイザー型の装置の実施例側面図である。
【図２】サンバイザの鍔の裏側の正面図である。
【図３】紫外線照射ユニットの斜視図である。
【図４】フェイスシールドを使用した装置の実施例側面図である。
【図５】フェイスシールドを使用した装置の別の実施例側面図である。
【考案を実施するための形態】
【００１３】
本考案では、利用者の目前に浮遊するウイルスに紫外線を照射する。学会では、波長が２５４ｎｍの紫外線を０．５秒間照射すると９５％のウイルスが死滅するという報告がされている。
【００１４】
ウイルスは、紫外線を受けると瞬時に殺菌されるので、感染が起こらない。人体に無害な紫外線を使用すれば安全である。この装置を頭上につけるだけで、安心して社会的活動を行うことができる。
【００１５】
具体的には、紫外線の照射器を頭につける。あまり違和感のないように作り、帽子をかぶるようにする。眼鏡をかけるようにしてもよい。サンバイザのように、ハチマキ状のものに取付けるようにしてもよい。小型化した照射機を頭上につけて顔面の前の面全体をカーテン状に覆うように紫外線を照射する。
【００１６】
利用者の目前の空気中のウイルスを無害にしてからマスクを通じて安全な空気を取り入れて呼吸を行えるようにする。これによって感染を防ぐ。この方法をとればもし近くに保菌者がいて吐く息の中にウイルスが存在しても、紫外線が照射されているところを通過するだけで殺菌されるので、そこを通過した空気を吸っても安全である。
【００１７】
この装置は実施例では小型電池によって作動するが、連続して使用すると電池の消耗も早いので、人が近づくと自動的にスイッチが入るようにして電池の消耗を防ぐ方法を取り入れてもよい。
以下、本考案の実施の形態を実施例毎に詳細に説明する。
【実施例１】
【００１８】
図１には帽子型の装置とメガネ型の装置とサンバイザー型の装置とを示した。利用者１６は帽子をかぶっている。この帽子の鍔１９の部分に紫外線照射ユニット１２が取り付けられている。
この紫外線照射ユニット１２は、利用者１６の顔の前にカーテン状に紫外線１４を照射する。メガネ型の場合には眼鏡の縁２１に紫外線照射ユニット１２が取り付けられている。サンバイザ型の場合にはサンバイザの鍔２３に、紫外線照射ユニット１２が取り付けられている。
【００１９】
図２にはサンバイザの鍔２３の裏側を示した。ここに紫外線照射ユニット１２が固定されている。
【００２０】
図３には紫外線照射ユニット１２の斜視図を示した。基板２８には十分な量の紫外線照射ができる数の紫外線ＬＥＤチップ２６が搭載されている。この紫外線ＬＥＤチップ２６は基板２８に一体化された電池によって駆動される。
【００２１】
基板２８の端部にはオンオフスイッチ３０が取り付けられている。このオンオフスイッチ３０は、手動でも良いし、利用者の顔の前方に人が近づいた場合に自動的にスイッチをオンする機能のものとするのもよい。
【００２２】
紫外線ＬＥＤチップ２６を駆動する電力はわずかなものなので、例えば帽子やサンバイザーの鍔の上側等に太陽電池を取り付けて基板２８に内蔵された電池を充電するようにしても構わない。
【００２３】
図４はフェイスシールド３２を使用した例である。フェイスシールド３２の表面全面を覆うようにカーテン状に紫外線１４を照射すると良い。上記の帽子やサンバイザの鍔、あるいはめがねの縁によりフェイスシールド３２を支持すればよい。
【００２４】
これによってフェイスシールド３２に付着するウイルスを無害化できると同時に、フェイスシールド３２に沿って回り込んで 利用者１６の鼻に吸い込まれる空気も十分に無害化される。
【００２５】
さらに、フェイスシールド３２の上方から下方に向かって紫外線１４が照射されると、図５に示すように、フェイスシールド３２の下方に配置された料理３４に紫外線１４が照射される。紫外線１４のビームを広げれば、料理３４の全体を紫外線１４のビームで覆うこともできる。フェイスシールド３２と利用者１６の口の間の間隔を十分に広げれば、フェイスシールド３２を装着したまま紫外線１４で殺菌された料理３４を食べることができる。
【符号の説明】
【００２６】
１２  紫外線照射ユニット
１４  紫外線
１６  利用者
１９  帽子の鍔
２１  眼鏡の縁
２３  サンバイザの鍔
２６  紫外線ＬＥＤチップ
２８  基板
３０  オンオフスイッチ
３２  フェイスシールド
３４  料理
【図１】
0003232446.tif 000003
【図２】
0003232446.tif 000004
【図３】
0003232446.tif 000005
【図４】
0003232446.tif 000006
【図５】
0003232446.tif 000007